(57)【要約】【課題】高層住宅の階段ベランダに設置され、ビル風が吹いても傾くことなくベランダに堅固に支持された階段ベランダ工事用足場を提供すること。【解決手段】足場Ｍは、下踊り場４、上踊り場５に設置する踊り場足場１０Ａと、階段２の踏み面３と斜め天井壁９とを突っ張るように構成される階段足場１０を連結して構成する。階段足場１０を支持体１１と足場台１６とで構成する。支持体１１は、階段２の踏み面３と斜め天井壁９との間に配置する縦支柱１２と、縦支柱１２からベランダ側壁７に突出する足場台用ステー１５とを備える。足場台１６を、複数の足場台用ステー１５上に架け渡して配置する。縦支柱１２の上方には、斜め天井壁９を押圧する押圧部１３を備える。縦支柱１２のジャッキ部１２２を操作することにより、斜め天井壁９を押圧して、縦支柱１２を突っ張るように支持する。【選択図】図１
2011074725.tif 000002
【特許請求の範囲】
【請求項１】
高層住宅の階段ベランダに設置する階段ベランダ工事用足場であって、
段差を有して配設された階段における２段の踏み面と、斜め平面状に形成されて前記踏み面の直上に配設された上層階段の裏面との間に設置され、
一端を高さ調整可能なジャッキ部を有して前記踏み面に当接するとともに、他端に前記上層階段の裏面を押圧する押圧部を配設して構成された縦支柱と、前記縦支柱から前記階段ベランダの外壁側に突出した足場台用ステーと、を備えた支持体が構成され、
段差を有する前記２段の踏み面に隣り合って設置される２基の前記支持体における２個の前記足場台用ステー上に、作業者が作業する足場台を架け渡して構成されていることを特徴とする階段ベランダ工事用足場。
【請求項２】
前記支持体には、前記縦支柱が立設する踏み面より上段の踏み面から立ち上がって前記縦支柱を支持する補助支柱が配設されていることを特徴とする請求項１記載の階段ベランダ工事用足場。
【請求項３】
高層住宅の階段ベランダに設置する階段ベランダ工事用足場であって、
段差を有して配設された階段における複数の踏み面と、最上段に配設された前記踏み面の上面側に配設された上層階踊り場の床面と、最下段に配設された前記踏み面の下方に配設された下層階踊り場の床面と、前記上層階踊り場と前記下層階踊り場との間を階段踊り場の外側に配設される前記階段ベランダ側壁と、斜め平面状に形成されて前記踏み面の直上に配設された上層階段の裏面との間に設置され、
前記下層階踊り場の床面又は上層階踊り場の床面あるいは前記階段の踏み面に、一端を高さ調整可能なジャッキ部を有して当接するように支持されるとともに、他端に前記上層階段の裏面を押圧する押圧部を配設して構成された縦支柱と、前記縦支柱から前記階段ベランダ側壁側に突出した足場台用ステーと、を備えた支持体が構成され、
段差を有する少なくとも２段の踏み面に設置された隣り合う前記支持体における前記足場台用ステー上に、作業者が作業する足場台を架け渡して、複数の前記足場台が段状に構成されることを特徴とする階段ベランダ工事用足場。
【請求項４】
前記階段に配設された支持体には、設置された前記縦支柱が立設する踏み面より上段の踏み面から立ち上がって前記縦支柱を支持する補助支柱が配設されていることを特徴とする請求項３記載の階段ベランダ工事用足場。
【請求項５】
前記押圧部は、前記縦支柱の延長線上に配設されて前記上層階段の裏面を押圧する押圧体と、前記上層階段の裏面の幅方向に沿って、前記押圧体と離れた位置で前記上層階段の裏面を押圧する副押圧体とを備えていることを特徴とする請求項２又は４のいずれかに記載の階段ベランダ工事用足場。
【請求項６】
前記押圧体は、前記縦支柱の先端に載設された押圧体ベースに前記上層階段の裏面の傾斜面に沿って回動可能に連結されるとともに、段差を有して隣り合う前記縦支柱に連結補助ステーを介して連結されていることを特徴とする請求項５記載の階段ベランダ工事用足場。
【請求項７】
前記副押圧体は、押圧体ベースに摺動可能に配設された副押圧体ベースに回動可能に連結されるとともに、前記補助支柱の一端が連結されていることを特徴とする請求項５又は６記載の階段ベランダ工事用足場。
【発明の詳細な説明】
【技術分野】
【０００１】
本発明は、高層住宅又は超高層住宅等における階段ベランダに設置して階段ベランダの外壁の清掃工事や改修工事を行うための階段ベランダ工事用足場に関する。
【背景技術】
【０００２】
地上２０階以上を越える高層住宅や超高層住宅での階段ベランダ側壁の清掃工事や改修工事等の外壁工事を行う場合、高層で発生するビル風が建物に当たって舞い上がったり、また吹き抜けたりすることによって、地上では考え難い風の影響を受けやすい。このため、従来から行われていた階段ベランダ外壁工事、例えば、屋上からゴンドラを吊り下げて行う作業は、危険が大きいことから実施できにくい状況にあった。近年、超高層住宅が立ち並ぶ中、ベランダ外壁工事の際にゴンドラの落下する事故が発生している。また、地上から積み上げて構成するピケ足場の場合、高層住宅の場合では、足場作りが大掛かりな作業となって工事の長期化又は莫大な工事費用がかかり、現実には足場を構成することに無理が生じていた。
【０００３】
このことから、従来においては、特許文献１に知られるように、ベランダで組み付けることができる足場が提供されていた。これによると、足場は、ベランダの床面と天井壁とを突っ張るように支持する支柱を設けて足場本体を構成し、足場本体からベランダ外側に、張り出し枠体を突出させて作業枠体としていた。これによって、足場本体を簡略化することができるとともに、工期も短くすることができ、工事費用も廉価にすることができることとなっていた。
【先行技術文献】
【特許文献】
【０００４】
【特許文献１】特開平１１−２２３０１２号公報
【発明の概要】
【発明が解決しようとする課題】
【０００５】
しかし、高層住宅が２０階を越えて５０階以上に至る、いわゆるタワー型超高層マンション群では、冒頭に述べた、ビル風の影響を大いに受けることとなり、少しでも危険な作業を想定できるような構成にすることはできない。つまり１００％近い安全な足場を構成する必要があり、また、工事の長期化を防止して廉価な費用で提供できる足場でなくてはならなかった。
【０００６】
特許文献１の足場では、例えば、ビル風でベランダ天井壁を押圧する押圧部が破損した場合、足場自体が傾いて落下する虞があり、危険を伴うこととなっていた。また、この足場は、段状に形成されている階段ベランダには適用することはできなかった。
【課題を解決するための手段】
【０００７】
本発明は、上述の課題を解決するものであり、高層ビルの階段ベランダに設置されて安全に構成された階段ベランダ工事用足場を提供することを目的とする。そのため、本発明に係る工事用足場は、以下のように構成するものである。すなわち、
請求項１記載の発明では、高層住宅の階段ベランダに設置する階段ベランダ工事用足場であって、段差を有して配設された階段における２段の踏み面と、斜め平面状に形成されて前記踏み面の直上に配設された上層階段の裏面との間に設置され、一端を高さ調整可能なジャッキ部を有して前記踏み面に当接するとともに、他端に前記上層階段の裏面を押圧する押圧部を配設して構成された縦支柱と、前記縦支柱から前記階段ベランダの外壁側に突出した足場台用ステーと、を備えた支持体が構成され、段差を有する前記２段の踏み面に隣り合って設置される２基の前記支持体における２個の前記足場台用ステー上に、作業者が作業する足場台を架け渡して構成されていることを特徴とするものである。
【０００８】
請求項２記載の発明は、請求項１の発明に係るものであって、前記支持体には、前記縦支柱が立設する踏み面より上段の踏み面から立ち上がって前記縦支柱を支持する補助支柱が配設されていることを特徴としている。
【０００９】
請求項３記載の発明は、高層住宅の階段ベランダに設置する階段ベランダ工事用足場であって、段差を有して配設された階段における複数の踏み面と、最上段に配設された前記踏み面の上面側に配設された上層階踊り場の床面と、最下段に配設された前記踏み面の下方に配設された下層階踊り場の床面と、前記上層階踊り場と前記下層階踊り場との間を階段踊り場の外側に配設される前記階段ベランダ側壁と、斜め平面状に形成されて前記踏み面の直上に配設された上層階段の裏面との間に設置され、前記下層階踊り場の床面又は上層階踊り場の床面あるいは前記階段の踏み面に、一端を高さ調整可能なジャッキ部を有して当接するように支持されるとともに、他端に前記上層階段の裏面を押圧する押圧部を配設して構成された縦支柱と、前記縦支柱から前記階段ベランダ側壁側に突出した足場台用ステーと、を備えた支持体が構成され、段差を有する少なくとも２段の踏み面に設置された隣り合う前記支持体における前記足場台用ステー上に、作業者が作業する足場台を架け渡して、複数の前記足場台が段状に構成されることを特徴とするものである。
【００１０】
請求項４記載の発明は、請求項３の発明に係るものであって、前記階段に配設された支持体には、設置された前記縦支柱が立設する踏み面より上段の踏み面から立ち上がって前記縦支柱を支持する補助支柱が配設されていることを特徴としている。
【００１１】
請求項５記載の発明は、請求項２又は４のいずれかの発明に係るものであって、前記押圧部は、前記縦支柱の延長線上に配設されて前記上層階段の裏面を押圧する押圧体と、前記上層階段の裏面の幅方向に沿って、前記押圧体と離れた位置で前記上層階段の裏面を押圧する副押圧体とを備えていることを特徴としている。
【００１２】
請求項６記載の発明は、請求項５の発明に係るものであって、前記押圧体は、前記縦支柱の先端に載設された押圧体ベースに前記上層階段の裏面の傾斜面に沿って回動可能に連結されるとともに、段差を有して隣り合う前記縦支柱に連結補助ステーを介して連結されていることを特徴としている。
【００１３】
請求項７記載の発明は、請求項５，６の発明に係るものであって、前記副押圧体は、押圧体ベースに摺動可能に配設された副押圧体ベースに回動可能に連結されるとともに、前記補助支柱の一端が連結されていることを特徴としている。
【発明の効果】
【００１４】
本発明の請求項１の構成によれば、階段の踏み面に一端を当接するとともに段差を有して配設された２本の縦支柱は、それぞれ上端に上層階段の裏面を押圧する押圧部を有している。縦支柱のジャッキ部を操作することにより、縦支柱は、階段ベランダ内で突っ張るように支持され、支持体は縦支柱により強固に支持されることになる。この状態で、段差を有して立設された２基の支持体の各縦支柱には、足場台用ステーが突出して配設され、２本の足場台用ステーに足場台が架け渡されている。したがって、強固に配設された２本の縦支柱に支持された足場台は、段状の階段ベランダであっても強固に配設されることとなって、安心して階段ベランダの外壁を清掃工事することができる。
【００１５】
本発明の請求項２の構成によれば、支持体は、縦支柱が立設された踏み面より上段の踏み面に一端を当接された補助支柱で支持されることにより、さらに階段ベランダ内で強固に支持されることとなる。
【００１６】
本発明の請求項３の構成によれば、階段ベランダ工事用足場は、段状に配設される複数の踏み面を間にして、下層階踊り場と上層階踊り場との間に複数の踏み面に下端を当接した縦支柱を配設する。それぞれの縦支柱の上端には上層階の階段の裏面を押圧する押圧部が配設され、縦支柱のジャッキ部を操作することにより、各支持体は、縦支柱で階段ベランダの裏面と踏み面との間を突っ張るように支持されることになる。この状態で各縦支柱には、階段ベランダ側壁側に突出した足場台用ステーを配設し、隣り合う足場台用ステーに足場台を架け渡す。これにより、足場台は、下層階踊り場と上層階踊り場との間において複数の足場台が段状に設置されることとなり、階段ベランダにおいても外壁の清掃工事を行うことができる。
【００１７】
請求項４記載の構成によれば、各支持体は、縦支柱が立設された踏み面より上段の踏み面に一端を当接された補助支柱で支持されることにより、さらに階段ベランダ内で強固に支持されることとなる。
【００１８】
また、請求項５記載の構成によれば、上層階段の裏面を押圧する押圧部は、縦支柱の延長線上に配設された押圧体と、上層階段の裏面の幅方向に沿って、押圧体と離れた位置に配設された副押圧体と、によって上層階段の裏面を押圧するので、各支持体をさらに強固に支持することができる。
【００１９】
請求項６の構成によれば、縦支柱の先端に配設された押圧体ベースに上層階段の裏面の傾斜面に沿って回動可能に配設された押圧体は、隣り合う縦支柱と連結補助ステーで連結されているから、押圧体で上層階段の裏面を押圧する際に、上層階段の裏面の上方に沿って移動しようとする押圧体を連結補助ステーで抑えることができる。そのため、縦支柱のジャッキ部を調整する際に、上層階段の裏面を押圧する力を、設定した位置に集中させることができる。
【００２０】
請求項７の構成によれば、上層階段の裏面の幅方向に沿って押圧体と離れた位置で配設される副押圧体は、補助支柱に連結されていることから上層階段の裏面の上方に沿って移動しようとする副押圧体を補助支柱で抑えることができる。そのため、縦支柱のジャッキ部を調整する際に、上層階段の裏面を押圧する力を、設定した位置に集中させることができる。
【図面の簡単な説明】
【００２１】
【図１】本発明における実施形態の足場を示す全体正面図である。
【図２】図１の足場の一部を図１の背面から見た斜視図である。
【図３】同側面図である。
【図４】一実施形態の押圧体の連結状態を示す支持体構成図である。
【図５】一実施形態の副押圧体の連結状態を示す支持体構成図である。
【図６】図３における押圧部を示す拡大図である。
【図７】ロックピンを示す組み込み断面図である。
【図８】図１における足場台を示す分解斜視図である。
【図９】上踊り場に設置する踊り場足場を示す斜視図である。
【図１０】図９における踊り場足場の正面図である。
【図１１】図９における踊り場足場の平面図である。
【図１２】足場を使用して清掃工事を行う状態を示す側面図である。
【発明を実施するための形態】
【００２２】
次に、本発明の工事用足場に係る実施形態を図面に基づいて説明する。本発明の階段ベランダ工事用足場（以下工事用足場という）は、ビル風が吹き付ける超高層住宅に設置する足場として好適に使用できるものであるが、もちろん超高層住宅でなくても、階段ベランダが設置されている高層住宅にも適用することができる。なお、図１に示すように、階段ベランダ１は、階段２における複数の踏み面３と、最下段に配置される踏み面３の下段にある下層階踊り場床面（以下、下踊り場という）４と最上段に配置される踏み面３の上段にある上層階踊り場床面（以下、上踊り場という）５と、下踊り場４と上踊り場５との間に配置されて踏み面３の外側に立設する階段ベランダ側壁（以下、側壁という）７と、複数の踏み面３の上層階段の裏面（以下、斜め天井壁という）９からなるものとする。
【００２３】
図１は、実施形態の工事用足場(以下、単に足場という)Ｍの全体正面図であり、図２はその一部を背面から見た斜視図であり、図３はその側面図である。足場Ｍは、階段２上に設置される単体の階段足場１０と、下踊り場４及び上踊り場５上に設置される踊り場足場１０Ａ、１０Ａとを連結して構成されている。また、この足場Ｍは、超高層住宅で作業を行うために、例えば、ビル風にあおられても、傾くことなくまた落下することのないように、階段ベランダ１に強固に支持されて安全な作業を行えるように構成されている。
【００２４】
階段２上に設置される階段足場１０は、図１〜３に示すように、２段の踏み面３、３に立設して配置された一対の支持体１１、１１と、一対の支持体１１、１１から離れた位置で側壁７の外方に位置する足場台１６を備えて構成されている。各支持体１１は、段状に配置された踏み面３に下端部を当接し、上端部に斜め天井壁９を押圧する押圧部１３を装着した縦支柱１２と、下端を上段の踏み面３に当接させて押圧部１３に連結された補助支柱１４と、縦支柱１２から、側壁７側に向かって突出する前述の足場台用ステー１５とを備えて構成されている。足場台１６は、複数の足場台用ステー１５上に架け渡されている。
【００２５】
実施形態における縦支柱１２は、角筒状に形成された支柱本体１２１と支柱本体１２１の下部に配置されるジャッキ部１２２とからなる。縦支柱１２の上部には、押圧部１３が構成されている。また、縦支柱１２には、上端部と中間部との２箇所において足場台用ステー１５の元部が装着されている。足場台用ステー１５の元部には角筒状の支柱本体１２１を摺動可能に外嵌する装着部１５１が形成されている。なお、支柱本体１２１においては、その長さが長くてエレベータに入らない場合には、長さ方向に対して２分割して形成してもよい。ジャッキ部１２２は、縦支柱１２の高さ調整を可能として縦支柱１２の先端に配置された押圧部１３を斜め天井壁９に押し付けることができるように構成されている。ジャッキ部１２２は、雄ネジ部を有するネジ棒１２２ａとネジ棒１２２ａに螺合するナット部材１２２ｂとを有し、下端部に踏み面３又は下踊り場４に当接するフランジ板１２３が装着されている。
【００２６】
図４〜６に示すように、押圧部１３は、縦支柱１２の上端部で、縦支柱１２から斜め天井壁９の幅方向に向かって延設される角筒状の押圧体ベース１３１と、押圧体ベース１３１内を摺動可能な角筒状のスライダ１３２と、斜め天井壁９を押圧する押圧体１３４とを備えている。押圧体１３４は、斜め天井壁９に接触して押圧可能な矩形板状の押圧板１３４ａと押圧板１３４ａから押圧体ベース１３１側に向かって突出する取付け片１３４ｂとを有して形成され、取付け片１３４ｂが押圧体ベース１３１から上方に突出した一対の突出片１３３に回動可能に取付けられている。そして押圧板１３４ａを斜め天井壁９の傾斜角度に合わせて回動することによって、押圧板１３４ａにおける斜め天井壁９との接触面が全面接触できるように形成されている。なお、図４、６に示すように、押圧体１３４の取付け片１３４ｂには、上段に配置されて階段足場１０を構成する一方の縦支柱１２の上端部あたりで一端が装着された連結補助ステー１９の他端が装着されている。これにより、押圧体１３４で斜め天井壁９を押圧する際に、斜め天井壁９の上方に沿って移動しようとする押圧体１３４を連結補助ステー１９で抑えることができる。そのため、縦支柱１２のジャッキ部１２２をネジ調整する際に、斜め天井壁９を押圧する力を、設定した位置に集中させることができる。
【００２７】
連結補助ステー１９には、中間部にネジ調整可能なジャッキ部１９１が配置されて、階段足場１０を構成する一対の縦支柱１２、１２間における連結補助ステー１９の適度な突っ張り力を付与するように構成されている。
【００２８】
また、図６に示すように、スライダ１３２には、押圧体ベース１３１からベランダ室内側に向かって離れた位置に角筒状の副押圧体ベース１３５がスライダ１３２に摺動可能に外嵌されている。図５に示すように、副押圧体ベース１３５の上方には、副押圧体１３７が斜め天井壁９を押圧可能に配置されている。副押圧体１３７は、押圧体１３４と同様、斜め天井壁９に接触して押圧可能な矩形板状の押圧板１３７ａと押圧板１３７ａから副押圧体ベース１３５側に向かって突出する取付け片１３７ｂとを有して形成され、取付け片１３７ｂが副押圧体ベース１３５から上方に突出した一対の突出片１３６に回動可能に取付けられている。そして押圧板１３７ａを斜め天井壁９の傾斜角度に合わせて回動することによって、押圧板１３７ａにおける斜め天井壁９との接触面が全面接触できるように形成されている。なお、スライダ１３２は、押圧体ベース１３１に摺動可能に配置されていることから、副押圧体ベース１３５を、斜め天井壁９の適宜な位置で押圧することができる。そして、位置決定がなされると、押圧体ベース１３１とスライダ１３２、スライダ１３２と副押圧体ベース１３５とは、それぞれ図７に示すロックピン１７で固着される。
【００２９】
なお、図５、図６に示すように、副押圧体１３７の取付け片１３７ｂには、補助支柱１４の一端が装着されている。補助支柱１４は、縦支柱１２が支持される踏み面３の上段の踏み面３に下端部が当接支持され、押圧部１３の副押圧体１３７の取付け片１３７ｂに連結されている。補助支柱１４は、副押圧体１３７と踏み面３との間を突っ張るように支持するために、ジャッキ部１４３を間にして先端側に配置される第１パイプ部１４１と元部側に配置される第２パイプ部１４２を分割して構成されている。
【００３０】
補助支柱１４は、縦支柱１２に対して斜め方向に配置されることから、第２パイプ部１４２の下端部は踏み面３の角部を押圧するために、Ｌ字状のアングル支持部材１４４を介して踏み面３に当接されている。ジャッキ部１４３には、第１パイプ部１４１の下端部に第１アジャスタ１４５が螺合されて第１パイプ部１４１を高さ調整可能とし、第２パイプ部１４２の上端部に第２アジャスタ１４６が螺合されて第２パイプ部１４２を高さ調整可能としている。これにより斜め天井壁９の上方に沿って移動しようとする副押圧体１３７を補助支柱１４で抑えることができる。そのため、縦支柱１２のジャッキ部１２２を調整する際に、斜め天井壁９を押圧する力、を設定した位置に集中させることができる。また、補助支柱１４のアングル支持部材１４４と縦支柱１２の支柱本体１２１とは、それぞれ耳片１４４ａ、１２１ｄを介してタンパックル１８で連結されている。
【００３１】
実施形態のロックピン１７には、図７に示すように、頭部１７１と胴体部１７２との間に磁石１７３が装着されて、例えば、押圧体ベース１３１のいずれかの挿通孔１３１ａ、スライダ１３２のいずれかの挿入孔１３２ａに挿通すると磁石１７３が押圧体ベース１３１に吸着されてロックピン１７が固定される。
【００３２】
足場台用ステー１５は、図３に示すように、一端を縦支柱１２の支柱本体１２１上に外嵌して側壁７の外方に向かって突出されている。つまり、図８に示すように、足場台用ステー１５の元部には、支柱本体１２１に外嵌する角パイプで形成された装着部１５１と装着部１５１から側壁７の外方に延設するアーム部１５２とが形成されている。装着部１５１には、支柱本体１２１を外嵌する嵌合孔１５１ａとアーム部１５２の元部を嵌合する溝部１５１ｂが形成されている。また、支柱本体１２１には、挿通孔１２１ｃが複数形成され、装着部１５１の側部に形成された挿通孔１５１ｃと支柱本体１２１のいずれかの挿通孔１２１ｃに、ロックピン１７が挿通される。ロックピン１７を挿通することにより、足場台用ステー１５と支柱本体１２１とが固定されることとなる。
【００３３】
アーム部１５２には、先端面に後述の手摺２０のストッパとなるストッパ片１５３が配置され、先端部側面にアーム部１５２の両側部から突出するボス部１５４が配置されている。また、アーム部１５２の装着部付近に、ロックピン１７が挿通する挿通孔１５２ａが形成されている。
【００３４】
なお、足場台用ステー１５は、段差のある両隣の支持体１１に足場台１６を架け渡すために、１本の縦支柱１２に上下方向に２個配置されることになる。足場台用ステー１５の装着部１５１を縦支柱１２の支柱本体１２１に外嵌させて、支柱本体１２１に形成された挿通孔１２１ｃと装着部１５１の複数の嵌合孔１５１ａのいずれか１個とを一致させてロックピン１７でロックすることになる。この位置は、支柱本体１２１の上端部付近と中間部に配置されることになるが、足場台１６を水平状態に維持するために、装着部１５１の位置は、階段における踏み面３の段差高さ及びジャッキ部１２２の高さ調整によって決定される。
【００３５】
図８に示すように、隣り合う２本の縦支柱１２の足場台用ステー１５には足場台１６が架け渡されている。また、足場台１６を囲むように手摺２０及び安全カバー２１が装着され、さらに足場台１６と階段２との間には、隙間カバー２２が装着され、足場台１６に搭乗するための階段ステップ２３が懸吊されている。
【００３６】
手摺２０は、一対の足場台用ステー１５のアーム部１５２の先端が水平方向に広がることを防止するためのステー嵌合溝部２０１ａを４隅に備えるステー支持部２０１と、ステー支持部２０１の上方に配置されてそれぞれのステー嵌合溝部２０１ａの内側面に溶着され複数の横支柱２０２ａを有する防護柵２０２と、から構成されている。防護柵２０２は、階段ベランダ１側を除いた三方から作業者を囲むことができるように配置されている。防護柵２０２の内側面には、防護柵２０２と同様、階段ベランダ１側を除いた３方から作業者を囲むことができる板状の安全カバー２１が装着されている。安全カバー２１の下端部には、足場台１６を装着するための雌ネジ金具２１１が４箇所に配置されている。
【００３７】
足場台１６は、手摺２０及び安全カバー２１内に挿入して配置される。足場台１６はプレート本体１６１と、プレート本体１６１の前後端に、一対の足場台用ステー１５のアーム部１５２に嵌合する嵌合溝１６４を形成したそれぞれ一対の装着金具１６２、１６３と、を備えている。プレート本体１６１の元部側に配置されている一対の装着金具１６２には、ロックピン１７が挿通する挿通孔１６２ａが形成されている。プレート本体１６１の外方先端側に配置されている一対の装着金具１６３には、アーム部１５２の側面に配置されたボス部１５４の厚み方向に係合する係合溝１６３ａが形成されている。なお、プレート本体１６１の元部側上面には階段ステップ２３を支持する元部プレート１６５が装着され、元部プレート１６５には階段ステップ２３の上端のステップ２３１Ａを掛止する掛止部１６５ａが配置されている。プレート本体１６１には、安全カバー２１の雌ネジ金具２１１に螺合する蝶ネジ２４を挿通するためのネジ挿通孔１６１ａが４箇所に形成されている。
【００３８】
階段ステップ２３には、足場台１６を登降するための複数のステップ２３１が、両側に配置された手摺棒２３２、２３２に支持されている。最上段のステップ２３１Ａは元部プレート１６５の掛止部１６５ａに掛止されている。
【００３９】
また、階段２の側壁７上面から足場台１６のプレート本体１６１との間の隙間には、作業者又は道具の進入を防止するための樹脂製の隙間カバー２２が装着されている。隙間カバー２２は、階段ステップ２３と足場台１６との間に配置されて、元部プレート１６５上に載置する上面部２２１と上面部２２１から直下に延設する側面部２２２とでＬ字状に形成されている。また、隙間カバー２２における元部プレート１６５の掛止部１６５ａに切り欠き部２２３を形成している。さらに、側面部２２２の下面は、階段２の傾斜角度に合わせて傾斜して形成され、側面部２２２の裏面側には隙間カバー２２がぐらつかないように側壁７に当接して支持される支持部２２２ａが配置されている。
【００４０】
図１及び図９〜１１に示すように、下踊り場４又は上踊り場５に設置される踊り場足場１０Ａは、階段足場１０の延長線上に配置される支持体１１Ａ１と、階段足場１０の支持体１１と支持体１１Ａ１とを結ぶ線上に対して直交して配置される支持体１１Ａ２を備えている。図９〜１１は上踊り場５における踊り場足場１０Ａを説明するものであり、下踊り場４に設置される踊り場足場１０Ａも同様に構成されている。上踊り場５の周りには、階段２の側壁７から延設する側壁７Ａ１（７Ａ）と階段２の正面側に配置されて側壁７と直交する正面側壁７Ａ２（７Ａ）とが形成され、上部には水平面状の踊り場天井壁９Ａが形成されている。
【００４１】
それぞれの支持体１１Ａ（１１Ａ１、１１Ａ２）は、それぞれ同一踊り場５上から立設する縦支柱１２Ａ（１２Ａ１、１２Ａ２）と、各縦支柱１２Ａの上方に配置されるとともに各縦支柱１２Ａどうしを連結する支柱連結部１３Ａ（１３Ａ１、１３Ａ２）と、縦支柱１２Ａと支柱連結部１３Ａとの間に配置されて支柱連結部１３Ａを踊り場天井壁９Ａ側に向かって押圧する連結ジャッキ部３１Ａ（３１Ａ１、３１Ａ２）と、縦支柱１２Ａからそれぞれ上踊り場５の側壁７Ａ１、正面側壁７Ａ２から外側に突出して縦支柱１２Ａに装着される足場台用ステー１５Ａ（１５Ａ１、１５Ａ２）と備えている。支持体１１Ａ１の足場台用ステー１５Ａ１と支持体１１Ａ２の足場台用ステー１５Ａ２とは直交する方向に延設されている。なお、下踊り場４又は上踊り場５に配置される足場台用ステー１５Ａ１は、階段２に設置される階段足場１０における足場台用ステー１５と同様の構成である。
【００４２】
この踊り場足場１０Ａは、上踊り場５における下踊り場４から上踊り場５に向かって延設する側に１セット設置（図９に示されている状態）され、上踊り場５における上踊り場５から上層階の下踊り場４に向かう側に１セット設置（図９には図示されていない）されている。したがって、踊り場足場１０Ａにおける足場台用ステー１５Ａ１は階段２上に設置された最上端の支持体１１に配置された足場台用ステー１５と同じ高さに設定されて、足場台１６Ａ１（１６Ａ）が懸架されることになる。また、上踊り場５の正面側壁７Ａから外方に突出する一対の足場台用ステー１５Ａ２上には足場台１６Ａ２（１６Ａ）が懸架されることになる。なお、足場台１６Ａは、階段２に設置される階段足場１０における足場台用ステー１５と同様の構成である。
【００４３】
支柱連結部１３Ａには、上面を踊り場天井壁９Ａに当接して押圧する角筒状の押圧パイプ３２Ａ（３２Ａ１、３２Ａ２）が配置されて、押圧パイプ３２Ａ内に、断面正方形で平面視十字状に形成された十字状クロスアーム３３の一部を、角筒状のスライドパイプ３４Ａ（３４Ａ１，３４Ａ２）を介して内嵌可能としている。縦支柱１２Ａは、階段２に設置される縦支柱１２と同様、支柱本体１２１Ａと支柱本体１２１Ａを昇降可能に調整するジャッキ部１２２Ａ（１２２Ａ１、１２２Ａ２）とを備えている。ジャッキ部１２２Ａに配置されたネジ部を回すことにより、支柱本体１２１Ａを上昇可能にして押圧パイプ３２Ａで踊り場天井壁９Ａを押圧することができる。なお、押圧パイプ３２Ａ１の上面に緩衝部材を設けて踊り場天井壁９Ａを押圧するようにしてもよい。なお、実施形態においては、縦支柱１２Ａを階段２上に配置する縦支柱１２を使用して支柱連結部１３Ａとの間に連結ジャッキ部３１Ａ（３１Ａ１，３１Ａ２）を配置するようにしている。
【００４４】
連結ジャッキ部３１Ａは、それぞれ、雄ネジ部３１１と、縦支柱１２Ａ１、１２Ａ２側に配置されて雄ネジ部３１１に螺合する下ナット部３１２と、支柱連結側３１Ａ１、３１Ａ２側に配置されて雄ネジ部３１１に螺合する上ナット部３１３とから構成されている。下ナット部３１２には、アジャスタ３１４が装着されて、支柱連結部１３Ａを踊り場天井壁９Ａ側に押圧調整できるようにしている。
【００４５】
また、押圧パイプ３２Ａと、スライドパイプ３４Ａ及び十字状クロスアーム３３には、それぞれ図示しない挿通孔が十字状クロスアーム３３の挿入方向に沿って複数形成され、挿通孔内に前述のロックピン１７が挿通される。ロックピン１７をスライドパイプ３４Ａの挿通孔の適宜な位置に挿通することによって、十字状クロスアーム３３を適宜な位置に配置可能にしている。
【００４６】
次に、上述のように構成された足場Ｍの組立手順や外壁工事の作業手順について説明する。
【００４７】
まず、作業を行う階層に、分割された複数の階段足場１０、踊り場足場１０Ａのそれぞれの部位をエレベータによって運搬する。分割された部位は、縦支柱１２、１２Ａや足場台用ステー１５、１５Ａ、足場台１６、１６Ａ、補助支柱１４、１４０、押圧部１３、支柱連結部１３Ａ等の各分割体であり、全てエレベータに収納できる大きさに形成されている。
【００４８】
上記の部位を階段ベランダ１内に持ち運んだ後、階段２に複数の階段足場１０、下踊り場４及び上踊り場５に踊り場足場１０Ａを組み立てる。階段２上に設置する階段足場１０は、支柱本体１２１、ジャッキ部１２２を組み付けて縦支柱１２を形成した後、足場台用ステー１５を縦支柱１２に組みつけて支柱本体１２１の上端に押圧部１３を装着する。フランジ板１２３を踏み面３に当て、押圧部１３の押圧体１３４を斜め天井壁９の傾斜角度に合わせて斜め天井壁９に当接させる。ジャッキ部１２２を操作して縦支柱１２を踏み面３と斜め天井壁９との間で押圧して突っ張らせる。また、段差を有して隣り合わせに配置された縦支柱１２、１２間に連結補助ステー１９を組みつけて、押圧部１３の斜め上方への移動を防止させる。さらに縦支柱１２を支持するための補助支柱１４を取付けて、支持体１１を構成する。また、下踊り場４及び上踊り場５に設置する踊り場足場１０Ａにおいて、縦支柱１２Ａ、連結ジャッキ部３１Ａ、支柱連結部１３Ａを組み付けて下踊り場４、上踊り場５と踊り場天井壁９Ａ間で押圧して突っ張らせる。下踊り場４、上踊り場５においては、縦支柱１２Ａと支柱連結部１３Ａとの間に配置された連結ジャッキ部３１Ａを調整することにより、踊り場天井壁９Ａを押圧する。この支持体１１、１１Ａを、階段２、下踊り場４、上踊り場５に設置することによって、階段２及び下踊り場４、上踊り場５に足場台１６、１６Ａのない足場Ｍが構成される。その後、同じ高さに配置された一対の足場台用ステー１５上に手摺２０、安全カバー２１を上層階から懸吊して足場台用ステー１５、１５Ａに取付ける。つまり、手摺２０のステー支持部２０１を一対の足場台用ステー１５、１５Ａのアーム部１５２に嵌合し、先端のステー支持部２０１の先端面を足場台用ステー１５のストッパ片１５３に当接させて位置決めをする。そして安全カバー２１を手摺２０の防護柵２０２内に収納する。
【００４９】
次に、足場台１６、１６Ａを架け渡す。足場台１６、１６Ａの一対の装着金具１６２を足場台用ステー１５のアーム部１５２に嵌合させ、一対の装着金具１６３をアーム部１５２のボス部１５４に嵌め込む。同時にプレート本体１６１を安全カバー２１内に収納する。そして４本の蝶ネジ２４をプレート本体１６１のネジ挿通孔１６１ａに挿通させて安全カバー２１の雌ネジ金具２１１に係合させて、足場台１６、１６Ａを手摺２０に固定する。さらに、足場台用ステー１５、１５Ａの挿通孔１５２ａと足場台１６の装着金具１６２の挿通孔１６２ａを一致させてロックピン１７を挿通する。これによって、足場台１６、１６Ａは、安全カバー２１に固定されるとともに足場台用ステー１５、１５Ａにも一体的に固定される。
【００５０】
最後に階段ステップ２３を足場台１６、１６Ａの元部プレート１６５の掛止部１６５ａに掛止させ、隙間カバー２２を階段２と足場台１６との間に装着して、階段足場が構成される。この階段足場を階段２上に複数個設置し、下踊り場４と上踊り場５とに踊り場足場１０Ａを設置することにより、足場Ｍが構成されることとなる。
【００５１】
足場Ｍの組付が完了すると、次に、例えば、ベランダ清掃作業を行う。清掃作業を行うにあたって、水洗浄やバイオ洗浄を行うために、清掃作業を行う場所に図示しない防水シートを掛けて水や塗料等の地上への落下防止を図ることが望ましい。
【００５２】
次に、清掃作業を行う。図１２に示すように、作業者Ｐは、下踊り場４(図１２には付記せず)に設置された踊り場足場１０Ａ(図１２に付記せず)から、階段２の階段足場１０及び上踊り場５に設置された踊り場足場１０Ａの順に清掃工事を行うことになる。この階段足場１０や踊り場足場１０Ａでは、階段ステップ２３から足場台１６、１６Ａのプレート本体１６１に上って所定の作業を行うことになる。なお、作業者Ｐは、命綱Ｒで懸吊されて作業することが望ましい。
【００５３】
実施形態の足場Ｍを使用して作業する作業内容は、清掃工事の場合、主に、階段ベランダ１の側壁７、踊り場側壁７Ａの水洗浄あるいはバイオ洗浄作業を行うものであって、階段ベランダ１の側壁７の清掃作業を順に行う。
【００５４】
所定の場所での作業を終了すると、作業者Ｐは足場Ｍを分解する。
【００５５】
上述のように、実施形態の足場Ｍでは、下踊り場４及び上踊り場５において踊り場天井壁９Ａとの間で突っ張るように踊り場足場１０Ａ(図１２には付記せず)を設置し、階段２上において、階段２の踏み面３と上層階の斜め天井壁９との間で突っ張るように縦支柱１２を支持して階段足場１０及び踊り場足場１０Ａを設置できるから、階段ベランダ１において、足場Ｍを構成することができ、高層住宅のいずれの階であっても、外壁工事を行うことができる。しかも、安全に作業できるとともに、工期を短縮できて廉価な費用で行うことが可能となる。
【００５６】
また、斜め天井壁９を押圧する押圧部１３が、斜め天井壁９に、斜め天井壁９の長さ方向に沿って配置され、ジャッキ部１２２の操作で、強く押圧するとともに、段差を有して隣り合わせた支持体１１の押圧部１３を連結補助ステー１９で連結することにより、押圧部１３を上方に移動させることなく斜め天井壁９を押圧することができることから、縦支柱１２を強固に支持することができる。
【符号の説明】
【００５７】
Ｍ、足場（階段ベランダ工事用足場）
１、階段ベランダ
２、階段
３、踏み面
４、下踊り場
５、上踊り場
７、側壁（階段ベランダ側壁）
９、斜め天井壁（上層階の階段ベランダの裏面）
１０、単体足場
１１、支持体
１２、縦支柱
１３、押圧部
１３１、押圧体ベース
１３２、スライダ
１３４、押圧体
１３５、副押圧体ベース
１３７、副押圧体
１４、補助支柱
１５、足場台用ステー
１６、足場台
１９、連結補助ステー
【図１】
2011074725.tif 000003
【図２】
2011074725.tif 000004
【図３】
2011074725.tif 000005
【図４】
2011074725.tif 000006
【図５】
2011074725.tif 000007
【図６】
2011074725.tif 000008
【図７】
2011074725.tif 000009
【図８】
2011074725.tif 000010
【図９】
2011074725.tif 000011
【図１０】
2011074725.tif 000012
【図１１】
2011074725.tif 000013
【図１２】
2011074725.tif 000014